(57)【要約】【課題】作業性を向上し、不良の発生を低減した接着テープ、これが貼り付けられたヒータユニット、及び、接着テープを使用した接着方法を提供すること。【解決手段】両面が接着性を有する接着層２と、該接着層２の片面を覆う剥離シート３と、からなり、上記接着テープ３の一部について、上記剥離シート３を有さない面に折り曲げて上記接着層２を重ね、折り曲げて裏面に回った分の剥離シート３が接着層２から剥離された接着テープ１。基材布と、所定のパターン形状にて上記基材布上に配設されるコード状ヒータと、上記基材布上に貼り付けられた上記接着テープと、からなるヒータユニット。上記基材布が、不織布からヒータユニット。上記接着テープ１の接着層２が、接着剤のみから構成されているヒータユニット。上記接着テープを使用した接着方法。【選択図】      図１
2010070682.tif 000002
【特許請求の範囲】
【請求項１】
両面が接着性を有する接着層と、該接着層の片面を覆う剥離シートと、からなる接着テープにおいて、
上記接着テープの一部について、上記剥離シートを有さない面に折り曲げて上記接着層を重ね、折り曲げて裏面に回った分の剥離シートが接着層から剥離された接着テープ。
【請求項２】
基材布と、所定のパターン形状にて上記基材布上に配設されるコード状ヒータと、上記基材布上に貼り付けられた請求項１記載の接着テープと、からなるヒータユニット。
【請求項３】
上記基材布が、不織布からなることを特徴とする請求項２記載のヒータユニット。
【請求項４】
上記接着テープの接着層が、接着剤のみから構成されていることを特徴とする請求項２又は請求項３記載のヒータユニット。
【請求項５】
両面が接着性を有する接着層と、該接着層の片面を覆う剥離シートと、からなる接着テープにおいて、
上記接着テープの端部が、上記接着層を有さないものであることを特徴とする接着テープ。
【請求項６】
両面が接着性を有する接着層と、該接着層の片面を覆う剥離シートと、からなる接着テープを使用した接着方法において、
上記接着テープの一部について、上記剥離シートを有さない面に折り曲げて上記接着相を重ね、折り曲げて裏面に回った分の剥離シートを接着層から剥離させておいたものを使用することを特徴とする接着方法。
【請求項７】
両面が接着性を有する接着層と、該接着層の片面を覆う剥離シートと、からなる接着テープを使用した接着方法において、
上記接着テープとして、端部に上記接着層を有さないものを使用することを特徴とする接着方法。
【発明の詳細な説明】
【技術分野】
【０００１】
本発明は、例えば、カーシートヒータなどに使用されるような不織布を貼り付ける際に、好適に使用される接着テープとそれを使用した接着方法に関するもので、特に、作業性を向上し、不良の発生を低減したものに関する。
【背景技術】
【０００２】
従来より、両面が接着性を有する接着層と、この接着層の片面を覆う剥離シートとからなる接着テープは、所謂「両面テープ」と称され広く使用されている。この接着テープは、例えば、車両用シートにおけるヒータユニット（所謂カーシートヒータ）においても、ヒータユニットを車両用シートのクッション部に固定するために使用されている。ここで、ヒータユニットの製造と車両用シートの組立は通常別の工程である。そのため、工程間でヒータユニットを搬送する際には、接着層の片面を剥離シートで覆ったままの接着テープをヒータユニットに貼り付けた状態とし、車両用シートに組み付ける際に、剥離シートを剥離して、接着層により車両用シートにヒータユニットを固定することになる。
【０００３】
ヒータユニットに関連する技術としては、当該出願人より、例えば特許文献１、特許文献２などが出願されている。
【０００４】
【特許文献１】特開２００３−１７４９５２公報：クラベ
【特許文献２】特願２００７−２８１２８４明細書：クラベ
【発明の開示】
【発明が解決しようとする課題】
【０００５】
ここで、上記した従来の接着テープの場合、接着テープの端部では、接着層の端部と剥離シートの端部が均一に揃ってしまっているため、剥離シートのみを掴持することができず、剥離シートのみを剥離することが困難である。実際の作業においては、作業者の怪我防止や製品の保護のため、作業者は軍手等の保護具を装着して作業を行うため、剥離シートのみを剥離することは更に困難になる。このような困難な作業であるため、剥離シートのみを剥離しようとして、接着層までもヒータユニットから剥がしてしまうことがあった。特に、不織布を基材布としたヒータユニットにおいては、一度貼り付けた接着層を剥がすと、接着層に不織布の繊維が付着するため、貼り直しをすることはできない。更には、接着層が剥がれる際の引張りにより、不織布が毛羽立ちや伸びなどの変形をしてしまうため、ヒータユニット全体が不良品となってしまうことになる。
【０００６】
本発明はこのような点に基づいてなされたもので、その目的とするところは、作業性を向上し、不良の発生を低減した接着テープ、これが貼り付けられたヒータユニット、及び、接着テープを使用した接着方法を提供することにある。
【課題を解決するための手段】
【０００７】
前記目的を達成するべく、本発明の請求項１による接着テープは、両面が接着性を有する接着層と、該接着層の片面を覆う剥離シートと、からなる接着テープにおいて、上記接着テープの一部について、上記剥離シートを有さない面に折り曲げて上記接着層を重ね、折り曲げて裏面に回った分の剥離シートが接着層から剥離された接着テープ。
また、請求項２記載のヒータユニットは、基材布と、所定のパターン形状にて上記基材布上に配設されるコード状ヒータと、上記基材布上に貼り付けられた上記接着テープと、からなるものである。
また、請求項３記載のヒータユニットは、上記基材布が、不織布からなることを特徴とするものである。
また、請求項４記載のヒータユニットは、上記接着テープの接着層が、接着剤のみから構成されていることを特徴とするものである。
また、請求項５記載の接着テープは、両面が接着性を有する接着層と、該接着層の片面を覆う剥離シートと、からなる接着テープにおいて、上記接着テープの端部が、上記接着層を有さないものであることを特徴とするものである。
また、請求項６記載の接着方法は、両面が接着性を有する接着層と、該接着層の片面を覆う剥離シートと、からなる接着テープを使用した接着方法において、
上記接着テープの一部について、上記剥離シートを有さない面に折り曲げて上記接着相を重ね、折り曲げて裏面に回った分の剥離シートを接着層から剥離させておいたものを使用することを特徴とするものである。
また、請求項７記載の接着方法は、両面が接着性を有する接着層と、該接着層の片面を覆う剥離シートと、からなる接着テープを使用した接着方法において、上記接着テープとして、端部に上記接着層を有さないものを使用することを特徴とするものである。
【発明の効果】
【０００８】
本発明による接着テープによれば、接着テープの端部は接着層を有さないので、この部分の剥離シートを掴持することで、容易に剥離シートのみを剥離することができる。そのため、接着層まで剥がしてしまうようなことは起こらない。また、接着テープの一部について、上記剥離シートを有さない面に折り曲げて上記接着層を重ね、折り曲げて裏面に回った分の剥離シートが接着層から剥離させる態様であれば、接着テープの端部に接着層を有さない部分を形成することが非常に容易である。
【発明を実施するための最良の形態】
【０００９】
以下に、示す図面を参照しながら本発明の実施の形態を説明する。
【００１０】
まず、接着テープ１として、一般に両面テープとして市販されているもの（共同技研製Ｎｏ．９５４−１０）を用意する。これは、両面が接着性を有する接着層２と、該接着層２の片面を覆う剥離シート３とからなるもので、幅３０ｍｍの帯状のものが巻物状に巻き取られた形状となっている。この接着テープ１を長さ２００ｍｍに切断する（図１の（ａ）参照）。この接着テープ１の端から１０ｍｍの箇所で、接着テープ１について剥離シート３を有さない面に折り曲げ、接着層２を重ねる（図１の（ｂ）参照）。そして、折り曲げて裏面に回った分の剥離シート３を接着層２から剥離することで、接着テープ１の端部が、接着層２を有さない形態となる（図１の（ｃ）参照）。
【００１１】
このような接着テープ１は、例えば、図２に示すような、不織布からなる基材布１１と、所定のパターン形状にて上記基材上に配設されるコード状ヒータ１２とからなるヒータユニット２０に貼り付けられる。ヒータユニットの詳細な態様については、例えば、上記特許文献１、特許文献２などを参照できる。なお、接着テープ１は、ヒータユニット２０の基材布１１におけるコード状ヒータ１２を配設した側の面に貼り付けてもよいし、コード状ヒータ１２を配設しない側の面に貼り付けてもよい。また、基材布１１の全体に貼り付けてもよいし、基材布１１の一部に貼り付けてもよい。
【００１２】
こうすることにより、作業者は、例え軍手等の保護具を装着した状態であっても、接着テープ１の端部において剥離シート３のみを掴持することができるため、接着層２まで剥がしてしまうことなく、剥離シート３のみを剥離することができる。ここで、上記実施の形態において、折り曲げて裏面に回った分の剥離シート３を接着層２から剥離する作業（図１（ｂ）から図１（ｃ）にかけての作業）については、さほどの困難性は生じない。これは、接着性を有さないヒータユニットの基材布１２と接着層２とが接着した状態から剥離シート３を剥離するのと比べ、接着性を有する接着層２同士が接着した状態から剥離シート３を剥離するので、接着層２が剥がれてしまうことはないためである。また、剥離シート３自体の復元力により、剥離シート３が接着層２から剥離する方向に力が働くためである。
【００１３】
なお、上記の実施の形態の他に、例えば、薬品によって接着層２のみを溶解する、レーザーによって接着層２のみを切除する等の手法により、接着テープ１の端部において、接着層２を有さない構成を得ることも可能である。しかし、特別な設備や厳密な制御などが必要となり、コスト増を招くので、上記実施の形態を用いることが好ましい。
【００１４】
接着層２については、基材層の両面に接着剤を塗布したものや、接着剤のみから構成されたものなど、適宜選定することができる。この内、接着剤のみから構成された接着層２であれば、接着層２の厚さが極めて薄くなるため、接着層２を重ねても厚さの増大を招くことがなく好ましい。
【００１５】
更に、接着層２は剛性がなく、伸縮可能であるため、接着層２を重ねても自由な変形が可能である。これにより、例えば、カーシートヒータに適用した際に、基材布１２の変形に追従して接着層２も変形することになるため、接着層２自体の厚さが非常に薄いことも相まって良質な風合いを損なわず、着座者が違和感を受けることはない。
【００１６】
また、接着剤のみから構成された接着層２の場合、上記の通り、接着層２が薄く剛性に乏しいため、一度接着層２を剥がしてしまったら、貼り直しをすることは不可能である。その点でも、接着層２を剥がしてしまうことのない本発明は、特に効果的である。
【００１７】
また、上記実施の形態においては、接着テープ１を所定の長さに切断する工程、接着テープ１の端部を折り曲げて接着層２を重ねる工程、折り曲げた部分の剥離シート３を剥離する工程をそれぞれ別作業としているが、機械化等によりこれら作業を同時に行ってもよい。
【産業上の利用可能性】
【００１８】
以上詳述したように本発明によれば、作業性を向上し、不良の発生を低減した接着テープ、これが貼り付けられたヒータユニット、及び、接着テープを使用した接着方法を提供することができる。本発明による接着テープ、及び接着テープを使用した接着方法は、ヒータユニットに限られず、種々の接着の態様に応用することが可能である。特に、貼り直しがきかないものへの接着や、比較的接着しにくいものへの接着には有効である。例えば、封筒、障子、襖などの紙製品への適用、接着層との接触面積が少ない多孔体や表面凹凸形状の物品等への適用、貼り直すことで接着層の接着性が低下してしまう布材、皮材、メッキ製品、塗装品への適用、など種々の態様が考えられる。
【図面の簡単な説明】
【００１９】
【図１】本発明による接着テープの構成を示す要部拡大側面図である。
【図２】本発明による接着テープが貼り付けられたヒータユニットを示す図である。
【符号の説明】
【００２０】
１  接着テープ
２  接着層
３  剥離シート
１１  基材布
１２  コード状ヒータ
２０  ヒータユニット
【図１】
2010070682.tif 000003
【図２】
2010070682.tif 000004